(57)【特許請求の範囲】
【請求項１】
データの書込みおよび読出し可能な記録手段、データの送受信を行う通信手段およびこれらを制御するコイン側制御手段を内蔵してコイン状に形成したＩＣコインを、遊技機における遊技動体の払出し用媒体に設定し、
投入された貨幣の有効性を識別する識別手段と、前記ＩＣコインに対して非接触状態でデータの送受信を行う本体側通信手段とを備え、
前記識別手段が有効な貨幣を識別したとき、前記本体側通信手段に供ぜられたＩＣコインに貨幣の価値を価値記録処理し、前記遊技動体の払出し指令が入力されたときに前記遊技動体を払出す遊技機用ＩＣコイン処理装置であって、
回動可能に軸支された円盤状の保持回動体を備え、
該保持回転体に前記ＩＣコインを出し入れ可能に保持する保持部を形成し、
該保持部で保持された前記ＩＣコインの回動軌跡上の所定位置に前記本体側通信手段を配設し、
前記払出し指令に基づき、前記本体側通信手段と対設する位置に前記保持回転体を回転させて保持された前記ＩＣコインの価値データを読取り、
該価値データが有効であるとき、所定量の前記遊技動体の払出し分に対応する価値を前記価値データから減算して、残価値があるとき該残価値を前記ＩＣコインに記録する残価値記録処理と、
価値を減算した分の前記遊技動体の払出しを許容する遊技動体払出し処理を実行する本体側制御手段とを備えた
遊技機用ＩＣコイン処理装置。
【請求項２】
前記保持回転体の円周上に前記ＩＣコインをプールするためのプール手段を形成し、
前記本体側制御手段が前記ＩＣコインの価値データをなしと判断したとき、前記保持回転体を前記本体側通信手段と対設する位置からさらに回転させ、該ＩＣコインを前記プール手段にプール制御するプール処理機能を、前記本体側制御手段に備えた
請求項１に記載の遊技機用ＩＣコイン処理装置。
【請求項３】
請求項１または２に記載の前記遊技機用ＩＣコイン処理装置を遊技機の一側に隣設して、前記遊技動体の払出し指令の入力を許容する払出し指令手段を備えた
台間機。
【発明の詳細な説明】
【０００１】
【発明が属する技術分野】
この発明は、例えば、パチンコ遊技場において、パチンコあるいはスロットマシン（パチスロ）に使用される球やメダルを借受けることができる遊技機用ＩＣコイン処理装置、および台間機に関する。
【０００２】
【従来の技術】
従来、遊技機列の台間に配置される台間機に、現金を処理する現金処理機能と、遊技カード（プリペードカード）を発行するカード発行機能とを備え、現金が投入されると、装置内部にプール（保留）している遊技カードに投入金額に対応する価値を磁気記録して、該遊技カードを装置前面の開口部に送出しその一部を臨ませ、プレーヤ（遊技者）が目視確認してプレースイッチを操作することに基づいて、該遊技カードを装置内部に取込み、磁気記録されている価値データを読出し、価値相当の遊技媒体、例えばパチンコ玉やメダルを遊技機に払出すように構成した台間機（遊技カード処理装置）がある。また、この台間機には、発行した遊技カードを装置外に放出して、他の台間機での使用が可能にする発行放出機能や、さらに、他の台間機で発行された遊技カードを受入れて、遊技媒体の払出しを行う受付け機能も付加される。
【０００３】
しかし、このような従来の台間機には、次ぎのような問題点を有する。
すなわち、価値データを記録した遊技カードは磁気記録により処理されるので、記録処理に方向性を有し、そのためて店員がカード装填を行うときやプレーヤが遊技するときなどで遊技カードを台間機に装填または挿入するに当っては、その方向性を誤ることがあり、これを回避するために遊技カードの方向確認がその都度必要であって、店員やプレーヤの取扱いが煩わしい。
【０００４】
さらに、遊技カードの磁気処理は、カードに磁気ヘッドが接触して行うので、カードの汚れや小さな損傷、さらに磁気ヘッドに付着する埃などにより磁気処理エラーが生じ、また、カードの搬送にジャムが生じる問題点も有する。
【０００５】
また、磁気処理のために遊技カードを搬送する装置の構成では、カードを水平姿勢で搬送処理するように構成すると、カードの搬送幅が装置の横幅に影響し、台間機に構成したとき、該台間機の横幅が広くなり、既存の遊技機の台間に使用できない。
【０００６】
そこで、カードを立ち姿勢で搬送処理するように構成することが提案できるが、しかし、カードの搬送処理ではカードの面に対して搬送ローラや搬送ベルトの搬送手段が対設されるので、これらの搬送手段が装置の横幅に影響し、さらに、カードの所定量を装置内部で保留して、カード発行に応じて繰出し発行するように構成すると、この保留の構成も装置の横幅に影響を与えることになり、台間機の幅寸法が、３０mm以内に制限されたとき、上述の搬送手段やカードの保留手段の構成により、制限幅を超え、横幅をコンパクトにした台間機が得られない。
【０００７】
【発明が解決しようとする課題】
この発明は、記録処理に方向性のない払出し用媒体を使用することにより、払出し用媒体の記録処理の制御が容易であり、さらに、払出し用媒体の発行機構がコンパクトに構成し得、かつ、払出し用媒体の取扱いも容易な遊技機用ＩＣコイン処理装置、および台間機の提供を目的とする。
【０００８】
【課題を解決するための手段】
この発明は、データの書込みおよび読出し可能な記録手段、データの送受信を行う通信手段およびこれらを制御するコイン側制御手段を内蔵してコイン状に形成したＩＣコインを、遊技機における遊技動体の払出し用媒体に設定し、投入された貨幣の有効性を識別する識別手段と、前記ＩＣコインに対して非接触状態でデータの送受信を行う本体側通信手段とを備え、前記識別手段が有効な貨幣を識別したとき、前記本体側通信手段に供ぜられたＩＣコインに貨幣の価値を価値記録処理し、前記遊技動体の払出し指令が入力されたときに前記遊技動体を払出す遊技機用ＩＣコイン処理装置であって、回動可能に軸支された円盤状の保持回動体を備え、該保持回転体に前記ＩＣコインを出し入れ可能に保持する保持部を形成し、該保持部で保持された前記ＩＣコインの回動軌跡上の所定位置に前記本体側通信手段を配設し、前記払出し指令に基づき、前記本体側通信手段と対設する位置に前記保持回転体を回転させて保持された前記ＩＣコインの価値データを読取り、該価値データが有効であるとき、所定量の前記遊技動体の払出し分に対応する価値を前記価値データから減算して、残価値があるとき該残価値を前記ＩＣコインに記録する残価値記録処理と、価値を減算した分の前記遊技動体の払出しを許容する遊技動体払出し処理を実行する本体側制御手段とを備えた遊技機用ＩＣコイン処理装置であることを特徴とする。
【０００９】
実施の態様として、前記保持回転体の円周上に前記ＩＣコインをプールするためのプール手段を形成し、前記本体側制御手段が前記ＩＣコインの価値データをなしと判断したとき、前記保持回転体を前記本体側通信手段と対設する位置からさらに回転させ、該ＩＣコインを前記プール手段にプール制御するプール処理機能を、前記本体側制御手段に備えることができる。
【００１０】
実施の態様として、前記遊技機用ＩＣコイン処理装置を遊技機の一側に隣設し、前記遊技動体の払出し指令の入力を許容する払出し指令手段を備えることで台間機とすることができる。
【００１１】
【発明の作用・効果】
この発明によれば、ＩＣコインに対する価値の記録は、内部に備える記録手段に対して通信により行い、記録処理のためにＩＣコインを搬送する必要がないので、記録処理の制御が容易となり、しかも該処理が速くなり、プレーヤに対する応答性がよく、不安を与えることがない。また、ＩＣコインには方向性がないので、装置の設計において、自由度が高くなり、設計が容易となり、また、利用においては、ＩＣコインの投入に戸惑いがなく店員やプレーヤの取扱いが容易となり、しかも、外観の汚れや小さな損傷で読取りや書込みの不良がない。
【００１２】
ＩＣコインの搬送に際しては、該ＩＣコインには厚みがあるので、この厚みを利用し、この厚みに対し押し引きして、径方向に搬送することにより、カードのように面で搬送する場合のような搬送ローラや搬送ベルトなどの搬送手段が不要となり、コンパクトに形成できそのため、例えば、台間機の厚みを３０mm以内に規制しても、その規制幅内に十分構成することができる。
【００１３】
【発明の実施の形態】
この発明の一実施の形態を以下図面と共に説明する。
【００１４】
図面は、遊技機用ＩＣコイン処理装置を含む遊技機システムを示し、図１は遊技機システムを示し、ホストコンピュータ１０に対して、複数の島Ａ１，Ａ２の遊技機１１（パチンコ遊技台１１ａ、スロット（パチスロ）遊技台１１ｂ）の一側に隣設した台間機１２（パチンコ用台間機１２ａ、スロット用台間機１２ｂ）がケーブル１３を介して、データの送受信が可能に接続し、また、ＩＣコイン発行機１４、およびＩＣコイン精算機１５もケーブル１３を介してデータの送受信が可能に接続している。又、上述のホストコンピュータ１０は他のシステム、例えば、営業管理用のホストコンピュータに接続することができる。
【００１５】
上述のパチンコ遊技台１１ａはパチンコ球を遊技動体として遊技し、また、スロット遊技台１１ｂはメダルを遊技動体として遊技することは周知の通りである。
【００１６】
台間機１２は、パチンコ球またはメダルなどの遊技機１１（１１ａ，１１ｂ）に対応した遊技動体を払出し、この遊技動体の払出し用媒体としてＩＣコイン（後述する）を設定している。
【００１７】
上述のＩＣコインは台間機１２に現金を投入することにより発行して、この発行したＩＣコインを使用することができると共に、前述のＩＣコイン発行機１４で発行したＩＣコインを使用することもできる。
【００１８】
なお、島Ａ１，Ａ２の端部には、遊技機１１に投入した現金（紙幣）を回収し、また、遊技機１１にプールしたＩＣコインがオーバフローした場合、これを回収する回収機１６を配設している。
【００１９】
前述のＩＣコイン発行機１４は、前述のＩＣコイン、すなわち、遊技機１１における遊技動体（パチンコ球またはメダル）の払出し用媒体として使用するＩＣコイン（後述する）を発行し、この発行は現金の投入に基づいて、該現金の金額に対応する価値（金額または度数）のデータをＩＣコインに記録して放出する。
【００２０】
前述のＩＣコイン精算機１５は、プレーヤが遊技を止めた際、使用したＩＣコインに残価値がある場合、ＩＣコインを投入してその残価値分の現金を放出することにより、ＩＣコインの価値を精算する。
【００２１】
図２、図３に示すように、前述のＩＣコイン２０は、外観形状（外観）を合成樹脂で偏平な円盤状、つまりコイン状に形成し、表裏両面は印刷面に設定して、例えば、定額の「１０００円」の金額（価値）を示す文字を印刷（または刻設）している。なお、金額はこれに限定されるものではない。
【００２２】
また、ＩＣコイン２０の内部には、ＩＣモジュウル２１を内蔵している。図４は、ＩＣモジュウル２１に形成される回路構成を示し、ＣＰＵ２２はＲＯＭ２３に格納されたプログラムに沿って、各回路装置を駆動制御し、ＲＡＭ２４は動作に必要なデータを記憶する。不揮発性で消去・再書込み可能なＥＥＰＲＯＭ２５は価値データを記録する。また、Ａ／Ｄ変換器２６とアンテナ２７とにより通信手段を構成しており、この通信手段により台間機１２、ＩＣコイン発行機１４，ＩＣコイン精算機１５に投入されたときそれぞれの本体側の通信手段と非接触状態でデータの送受信が可能である。電源回路２８はアンテナ２７に信号を受信したときの起電力により電源を発生して、各回路に供給している。
【００２３】
図５は、上述のＥＥＰＲＯＭ２５の記録エリアに記録されるデータを示し、記録エリアはデータの書換えが不可能なシステムエリアと、データの書換えが可能なデータエリアとを設定し、
システムエリアには、  ユニーク番号、ホール番号、
データエリアには、    金額（または度数）、日付（発行日）、書込み回数、
のデータを記録している。
【００２４】
上述のシステムエリアのユニーク番号データは、各ＩＣコインに割り当てられた番号で、大きな桁数で設定することができるので、他のＩＣコインと番号が重合することが避けられ、このユニーク番号を管理することで不正使用を防止することができる。また、システムエリアのホール番号データは、ＩＣコイン２０の使用を可能にした遊技ホールを示す番号であって、これらの番号を遊技ホールごとに対応させて管理することにより信頼のあるセキュリティが得られる。
【００２５】
前述のデータエリアの金額は、発行時に投入された貨幣の金額に対応する価値データであり、日付データはＩＣコイン２０に金額データを記録して発行した発行日、書込み回数データは、データを書き込んだ回数データであって、これらのデータは使用の度に書換えられる。なお、金額のデータに代えて、可能な払出しの回数を示す度数データを価値データとすることもできる。また、書込み回数はＩＣコインの使用限界を設定したときこの回数で規制することができる。
【００２６】
図６、図７は台間機１２を示し、パチンコ用台間機１２ａとスロット用台間機１２ｂとは払出しの対象である遊技動体がパチンコ球とメダルとの違いであって、ＩＣコイン２０の処理は同一であるため、総合して説明する。
【００２７】
すなわち、台間機１２の前面パネル３１の上部には貨幣、例えば、紙幣の１０００円札を挿入する紙幣挿入口３２を形成し、この紙幣挿入口３２の内部には、紙幣処理部３３を配置し、この紙幣処理部３３は投入された紙幣の有効性を識別する、すなわち、投入紙幣の真偽判別、金種（例えば、１０００円紙幣）の判別を行い、有効な紙幣を識別したときは、紙幣を内部に取込み、無効性を識別したときは紙幣挿入口３２に返却する。
【００２８】
上述の紙幣挿入口３２の下部位置の前面パネル３１は前方に膨出して形成し、この膨出した傾斜面にはＩＣコイン２０のコイン投入および放出（取出し）を行う投入放出口３４を形成している。
【００２９】
上述の投入放出口３４の内部には、ＩＣコイン２０を搬送し、かつプールする搬送プール部３５を配設している。この搬送プール部３５には、円盤状であって、円周上の４等分の各位置にＩＣコイン２０を保持する凹状の保持部３６…を形成した保持ディスク３７を、そのディスク面が垂直で奥行き方向と平行になるように軸支しており、この保持ディスク３７は１つの保持部３６を前述の投入放出口３４に対向して配置し、かつ、正逆方向に回転制御されて、ＩＣコイン２０を搬送し、プールする。
【００３０】
上述の保持ディスク３７が１枚のＩＣコイン２０を取込んだ位置の保持部３６と対向する位置には、データの送受信を行うアンテナ３８を配置している。
【００３１】
上述の搬送プール部３５の下部位置には、遊技動体（パチンコ用台間機１２ａの場合はパチンコ球、スロット用台間機１２ｂの場合はメダル）を払出す遊技動体払出し部３９を配設しており、該遊技動体払出し部３９より払出される遊技動体はシュータ４０を介して遊技機１１に供給される。
【００３２】
上述の遊技動体払出し部３９の下部には、前述のアンテナ３８と接続された通信装置４１と、全体を制御する制御部４２とを配設している。
【００３３】
図中、４３は遊技動体の払出しを入力する払出しボタン、４４は遊技動体の払出し状態、およびＩＣコイン２０に記録された残価値を表示する払出し表示器、４５はＩＣコイン２０の返却を入力するＩＣコイン返却ボタンである。
【００３４】
図８、図９は前述の搬送プール部３５を示し、前述した保持部３６…は、円盤状の保持ディスク３７の一側面側であって、円周上の４等分の各位置を凹状に形成しており、また、この凹状の保持部３６側の側面は適宜の固定壁を対設することによってＩＣコイン２０の落下を防止している。さらに、前述の投入放出口３４を除いた外周部には周壁５０を対設して、保持部３６に保持したＩＣコイン２０の飛出しを防止するように形成している。
【００３５】
上述の保持ディスク３７は、ゼネバギヤ機構５１により正逆に所定の角度（例えば、角９０度）にごとに駆動されるように構成している。上述のゼネバギヤ機構５１は、ゼネバギヤホイール５２と、ゼネバギヤドライバホイール５３とにより構成している。
【００３６】
ゼネバギヤホイール５２は前述の保持ディスク３７の背面に一体的に形成しており、保持部３６と対応する位置に、半径方向に駆動溝５４…を形成し、これらの各駆動溝５４…の間は、ゼネバギヤホイール５２の回動を禁止するための凹状の規制円弧５５…で接続している。
【００３７】
一方、ゼネバギヤドライバホイール５３には、ゼネバギヤホイール５２の駆動溝５４…に係合してゼネバギヤホイール５２を所定の角度ごとに駆動する駆動ピン５６と、また、上述の駆動ピン５６が駆動溝５４…と外れている位置で、ゼネバギヤホイール５２の規制円弧５５…と摺接して該ホイール５２の回動を禁止する摺接円弧５７とを形成している。
【００３８】
したがって、ゼネバギヤドライバホイール５３が１回転すると、その回転中に駆動ピン５６がゼネバギヤホイール５２の駆動溝５４に係合して、これを回動させることによりゼネバギヤホイール５２をこの例では９０度回転させ、駆動ピン５６が駆動溝５４から外れて、摺接円弧５７が規制円弧５５に摺接するとゼネバギヤホイール５２の回動が禁止されて、その結果、ゼネバギヤホイール５２に一体的に形成された保持ディスク３７は正または逆方向に９０度の間欠回動する。
【００３９】
上述のゼネバギヤドライバホイール５３の回転駆動は、正逆転モータ５８により駆動される。すなわち、モータ５８の出力軸５９に取り付けられた第１のギヤ６０、アイドルの第２のギヤ６１を介して、ゼネバギヤドライバホイール５３に連設形成した第３のギヤ６２に動力が伝動されるように形成している。
【００４０】
前述の保持ディスク３７は、初期設定では、投入放出口３４にはＩＣコイン２０がなく、ＩＣコイン２０を受け入れる状態であり、該位置の保持部３６にはＩＣコイン２０の投入および取り出しを検知するためのコインセンサ６５を対設している。また、投入放出口３４の９０度時計方向に回転した位置は通信手段のアンテナ３８と対向する位置であって、この位置を第１のコインプール位置Ｐ１に設定し、さらに、この位置から９０度時計方向に回転した位置を第２のコインプール位置Ｐ２に設定し、さらに、９０度時計方向に回転した位置を第３のコインプール位置Ｐ３に設定している。
【００４１】
なお、第２と第３とのコインプール位置Ｐ２，Ｐ３の中間位置には、保持ディスク３７のホームポジションを検知するためのポジションセンサ６６を配設し、該ポジションセンサ６６が保持ディスク３７の特定位置を検知し、これをホームポジションとして正逆回転の所定角度の回動が制御される。
【００４２】
上述の第３のプール位置Ｐ３の位置には第２のプール部７０のプール通路７１が接続しており、このプール位置Ｐ３とプール通路７１との境にはゲート板７２を配設している。
【００４３】
図１０にも示すように、上述のゲート板７２はプール通路７１を開閉するために該通路７１を出退操作される。この操作のために、ゲート板７２はＬ字状に形成されて、その基端部をピン７３により適宜の固定部に枢着し、さらに、基端部の近傍にソレノイド７４のプランジャ７５をピン７６で連結し、このソレノイド７４を駆動制御することによって、ゲート板７２を出退操作することができる。
第３のプール位置Ｐ３にＩＣコイン２０がプールされている状態で、投入放出口３４にＩＣコイン２０が投入された場合（例えば、プレーヤが所持していたＩＣコイン２０が投入された場合）、ゲート板７２を開放操作して、第３のプール位置Ｐ３にプールされているＩＣコイン２０を第２のプール部７０に移動させて、投入されたＩＣコイン２０の取込みを可能にし、また、第１のプール位置Ｐ１で、アンテナ３８で送受信処理されていたＩＣコイン２０が、投入放出口３４に移動して取り出されたときは、第３のプール位置Ｐ３には第２のプール部７０からＩＣコイン２０を供給して初期状態を形成する。
【００４４】
図８において、前述のプール通路７１の下部位置には、ＩＣコイン２０をプールしたり、送出したりするために正逆に搬送するための搬送ベルト８０を張設している。
【００４５】
この搬送ベルト８０は、プーリ８１…により屈曲状態に張設すると共に、搬送面にはＩＣコイン２０を正逆搬送できるように突起８２…をＩＣコイン２０の幅ピッチに対応させて取付けている。そして、搬送ベルト８０は第２の正逆転モータ８３によりギヤ８４，８５を介して正逆に駆動される。
【００４６】
なお、搬送ベルト８０で形成する第２のプール部７０の下端開放部は適宜の回収部を形成し、必要以上のＩＣコイン２０は開放端から回収部に回収される。
【００４７】
図１１は、台間機１２の制御回路ブロック図を示し、制御部４２はＣＰＵ，ＲＯＭ，ＲＡＭを備え、ＣＰＵはＲＯＭに格納されたプログラムに沿って各回路装置を制御し、ＲＡＭは動作に必要なデータを記憶する。
【００４８】
そして、上述の制御部４２には、払出しボタン４３、ＩＣコイン返却ボタン４５、コインセンサ６５、ポジションセンサ６６、第１正逆転モータ５８、第２正逆転モータ８３、ソレノイド７４、払出し表示器４４、ＩＣコイン通信装置４１、紙幣処理部３３、遊技動体払出し部３９、外部通信装置９０を接続している。なお、外部通信装置９０はホストコンピュータ１０に接続してデータ通信を行う。
【００４９】
次ぎに、制御部４２のＩＣコイン処理動作を、図１２のフローチャートを参照して説明する。
【００５０】
搬送プール部３５の初期状態は、図１３に示すように、投入放出口３４の位置の保持ディスク３７の保持部３６はＩＣコイン２０が投入可能状態にあり、第１、第２および第３のコインプール位置Ｐ１，Ｐ２，Ｐ３にはそれぞれＩＣコイン２０がプールされている。
【００５１】
プレーヤが紙幣処理部３３の紙幣挿入口３２に紙幣を挿入すると、該紙幣処理部３３が紙幣の真偽判別、金種判別を行って、真紙幣、例えば、千円札であることを識別すると、第１のコインプール位置Ｐ１にプールされたＩＣコイン２０に対してアンテナ３８を介してＩＣコイン通信装置４１で、貨幣の価値、すなわち、１０００円の価値をＩＣコイン２０に書込むべく、データを送信する（ステップｎ１，ｎ２）。
【００５２】
一方、ＩＣコイン２０は、データを受信して、その価値データをＥＥＰＲＯＭ２５に記録する。
【００５３】
価値の書込みが正常に終了すると、第１のコインプール位置Ｐ１にプールしているＩＣコイン２０を投入放出口３４に放出するべくゼネバギヤ機構５１を駆動して保持ディスク３７を反時計方向に９０度の回転制御を行う。すなわち、第１の正逆転モータ５８を所定方向に駆動して、ゼネバギヤドライバホイール５３を１回転制御する（ステップｎ３）。
【００５４】
上述の回転制御により、図１４に示すように、価値データを記録したＩＣコイン２０が投入放出口３４に放出されるので、プレーヤはこの放出を目視することでＩＣコイン２０の発行を確認することができる。
【００５５】
次ぎに、プレーヤが遊技を実行するために、すなわち、遊技動体の払出しを実行するために、払出しボタン４３を押下操作すると（ステップｎ４）、投入放出口３４に放出していたＩＣコイン２０を第１のコインプール位置Ｐ１に取込むべく（図１３の状態）、ゼネバギヤ機構５１を駆動制御して取込み、次ぎに、ＩＣコイン通信装置４１を駆動制御して、ＩＣコイン２０に記録されている価値データを読取る（ステップｎ５）。
【００５６】
次ぎに、ＩＣコイン２０から読取った価値データが２回分の払出しに対応する価値があるか否かを判定し（ステップｎ６）、例えば、遊技動体の１回の払出し量が５００円に対応する量に設定している場合、ＩＣコイン２０の初期発行が１０００円であるとすれば、２回分の価値があるので、ＩＣコイン２０の価値を１回分を減算して残価値（上述例では５００円の残価値）に更新記録する（ステップｎ７）。そして、ＩＣコイン２０はこの第１のコインプール位置Ｐ１で待機する。
【００５７】
次ぎに、遊技動体払出し部３９を駆動制御して、１回分、例えば、５００円に対応する量の遊技動体を払出す（ステップｎ８）。この払出し状態は払出し表示器４４で表示し、さらに、払出しが終了すると、ＩＣコイン２０に記録されている残価値を表示する。
【００５８】
遊技動体を遊技機１１に払出すことによりプレーヤは遊技を実行し、この遊技中は、ＩＣコイン２０は内部の第１のコインプール位置Ｐ１にプールしている。
プレーヤが続けて遊技をするときは、払出しボタン４３を押下することにより、ステップｎ５，ｎ６の処理が実行されるが、しかし、この払出しでＩＣコイン２０の残価値が零（０円）になるときは、ＩＣコイン通信装置４１を駆動制御して、ＩＣコイン２０の価値データを零に記録更新し（ステップｎ１０）、次ぎに、遊技動体払出し部３９を駆動制御して、１回分（５００円に対応する量）の遊技動体を払出す（ステップｎ１１）。この払出し状態も払出し表示器４４で表示し、さらに、払出しが終了すると、ＩＣコイン２０の記録されている残価値が零であることを表示すると共に、該ＩＣコイン２０は放出されることなく、第１のコインプール位置Ｐ１でプールを保持し（ステップｎ１２）、図１３で示した、初期状態として待機することになる。
【００５９】
一方、前述のステップｎ９で、プレーヤが遊技を中止して、残価値のあるＩＣコイン２０の返却を希望するべく、ＩＣコイン返却ボタン４５を操作すると、ゼネバギヤ機構５１を放出方向に駆動制御して、第１のコインプール位置Ｐ１にプールされているＩＣコイン２０を投入放出口３４に放出し（ステップｎ１３）、コインセンサ６５がＩＣコイン２０の抜取りを検出することにより（ステップｎ１４）処理を終了する。
【００６０】
なお、このＩＣコイン２０の抜取りは、図１４で示す投入放出口３４にあるＩＣコイン２０を抜取ることになるので、第３のコインプール位置Ｐ３にＩＣコイン２０のプールがなくなる。そのため、第２のプール部７０から１枚のＩＣコイン２０を補充するべく、ソレノイド７４を駆動し、ゲート板７２を退避してプール通路７１を開放し、第２の正逆転モータ８３を補充方向に駆動制御して、１枚のＩＣコイン２０を第３のコインプール位置Ｐ３にプールした後、ゲート板７２を突出させてプール通路７１を閉鎖して、ＩＣコイン２０のプールの初期状態に戻す。
【００６１】
前述のステップｎ４では、ＩＣコイン２０が投入放出口３４に放出された状態であるので、この状態でＩＣコイン２０が抜取られた場合、あるいは、ＩＣコイン返却ボタン４５が操作されると、この場合、ＩＣコイン２０の発行のみで、プレーヤは遊技を実行しなかったことを意味し、コインセンサ６５がＩＣコイン２０の抜取りを検出することにより（ステップｎ１５）処理を終了して、上述したＩＣコイン２０の補充の処理が実行される。
【００６２】
上述の処理は、貨幣の投入に基づいてＩＣコイン２０を発行して、遊技動体を払出したが、他の払出しとしては、ホール内のＩＣコイン発行機１４で発行したＩＣコイン２０を投入して遊技する場合がある。
【００６３】
すなわち、搬送プール部３５の初期状態が、図１３に示すように、投入放出口３４の位置の保持ディスク３７の保持部３６はＩＣコイン２０が投入可能状態にあり、第１、第２および第３のコインプール位置Ｐ１，Ｐ２，Ｐ３にはそれぞれＩＣコイン２０をプールしている。
【００６４】
この状態で投入放出口３４にＩＣコイン２０が投入されて、これを内部に取込むと、第３のコインプール位置Ｐ３のＩＣコイン２０は過剰プールとなるため、このＩＣコイン２０を第２のプール部７０に移動させる。この移動のタイミングはＩＣコイン２０の投入をコインセンサ６５が検知したときに実行される（ステップｎ１６）。
【００６５】
すなわち、図１５に示すように、ソレノイド７４を駆動して、ゲート板７２を退避してプール通路７１を開放し、第２の正逆転モータ８３をプール方向に駆動制御して、ＩＣコイン２０の１枚分スペースを開けることにより、第３のコインプール位置Ｐ３にプールされていたＩＣコイン２０が第２のプール部７０に移動してプールされ、その後、ゲート板７２を突出させてプール通路７１を閉鎖する。
【００６６】
投入されたＩＣコイン２０による遊技動体の払出しは、前述したステップｎ４以降のフローで実行される。
【００６７】
なお、ＩＣコイン２０をＩＣコイン発行機１４で発行した場合、高額の紙幣での発行が可能であるので、換言すれば、３回分以上の払出しが可能な価値を付与することができるので、遊技動体の払出しに伴うＩＣコイン２０のプール処理において、ＩＣコイン２０に記録した価値が零（０円）になるか、またはＩＣコイン返却ボタン４５が操作されるまで、アンテナ３８と対向する第１のコインプール位置Ｐ１にＩＣコイン２０を取込んだ状態にして払出しを行うもよく、または、遊技動体の払出しの度に、すなわち、１回の払出し分の価値を減算する度にＩＣコイン２０を投入放出口３４に放出し、払出しボタン４３の操作の度に内部に取り込むように構成してもよい。
【００６８】
図１６は、ＩＣコイン２０の処理の他の例を示し、この例では、台間機１２に紙幣を投入したとき（ステップｎ２１）、この紙幣の投入は遊技を行う意思表示であると判断して、投入金額から１回分の価値を減算し、その残価値をＩＣコイン２０に記録して（ステップｎ２２）、遊技動体の払出しを実行する。この払出しの処理は、図１２で示したステップｎ８に移行し、その後の払出し処理およびＩＣコイン２０の処理は該図１２で説明した処理が実行される。
【００６９】
上述の実施例において、搬送プール部３５の保持ディスク３７をゼネバギヤ機構５１で角９０度の駆動を行ったが、他の手段としてはパルスモータにより角９０度の駆動をすることができる。しかし、ゼネバギヤ機構５１を用いた場合、正確な位置出しが安価なモータの使用で可能となる利点を有する。
【００７０】
また、上述の実施例では保持ディスク３７に保持部３６を４個所形成したが、この個数に限定されることなく、任意数に設定することができる。
【００７１】
図１７は、ＩＣコイン２０の搬送プール部３５の他の例を示し、投入放出口３４内部には、投入されるＩＣコイン２０を内部に取込み、また、内部にプールされているＩＣコイン２０を放出搬送する突起付きの搬送ベルト９１が張設され、該搬送ベルト９１は第３の正逆転モータ９２に正逆方向に駆動制御される。
【００７２】
第１のコインプール位置Ｐ１は搬送ベルト９１の搬送奥部に設定して、この位置Ｐ１にＩＣコイン通信装置４１のアンテナ３８を対設し、第１のコインプール位置Ｐ１とＩＣコイン２０に対する通信位置とを兼ねている。
【００７３】
上述のコインプール位置Ｐ１の上部にも第２〜第４のコインプール位置Ｐ２，Ｐ３，Ｐ４を形成したプール部９３を形成しており、該プール部９３は、ＩＣコイン２０の径方向で上下方向に重合させてプールするように形成しており、自重で下方に付勢している。上述の第１と第２のコインプール部Ｐ１，Ｐ２の間には、ＩＣコイン２０を上下に昇降するリフト装置９４を設けており、該リフト装置９４はＩＣコイン２０の上下または厚み方向を適宜の手段で挟持し、モータのような駆動源９５で、上方のコインプール位置Ｐ２に上昇させ、該位置Ｐ２のＩＣコイン２０を押上げて挟持しているＩＣコイン２０をプール部９３にプールさせるように形成している。
【００７４】
また、プール部９３の前部には、ＩＣコイン２０の回収部９６を形成し、プール部９３をオーバフローしたＩＣコイン２０を該回収部９６で回収するように設けている。このようにＩＣコイン２０の搬送プール部３５を形成するも有効である。
【００７５】
図１８は、ＩＣコイン２０の搬送プール部３５の他の例を示し、この例で示す搬送プール部１００は、円盤状であって、円周上を２等分した角１８０度の各位置にＩＣコイン２０を保持する凹状（Ｕの字状）の保持部１０１，１０１を側面に形成した保持ディスク１０２を、そのディスク面が垂直で台間機１２の奥行き方向と平行になるように軸支し、保持部１０１，１０１側の側面は適宜の固定壁を対設することによってＩＣコイン２０の落下を防止している。
【００７６】
上述の保持ディスク１０２は、１つの保持部１０１をＩＣコイン２０の投入口１０３に対向して配置したとき、その周縁対向部において、内部の角９０度の位置に、ＩＣコイン２０が補給される補給通路１０４を対設し、この補給通路１０４は上方の補給部１０５からシャッタ１０６の開閉制御によりＩＣコイン２０が補給されるように設けられている。
【００７７】
また、上述の投入口１０３の位置に対して内部の角１８０度の周縁対向部の位置に、プールされたＩＣコイン２０を回収する回収通路１０７を対設し、この回収通路１０７は下方の適宜構成される回収部（図示省略）にシャッタ１０８の開閉制御によりＩＣコイン２０を回収するように設けている。
【００７８】
さらにまた、上述の投入口１０３の位置に対して内部の角２７０度の周縁対向部の位置に、プールされたＩＣコイン２０をプレーヤに返却する返却通路１０９を対設し、この返却通路１０９は下方で適宜構成されるシュータ（図示省略）および台間機１２の前面の返却口（図示省略）にシャッタ１１０の開閉制御により、プールされたＩＣコイン２０を返却するように設けている。
【００７９】
上述した保持ディスク１０２の投入口１０３，回収通路１０７，返却通路１０９を除いた外周部には周壁１１１…を対設して、保持部１０１，１０１に保持したＩＣコイン２０の飛出しを防止するように形成している。
【００８０】
また、上述の保持ディスク１０２が１枚のＩＣコイン２０を取込んだ内部の角９０度の位置の保持部１０１と側面で対向する位置には、データの送受信を行うアンテナ３８を配置している。
【００８１】
上述の保持ディスク１０２は正逆転するモータ１１２により正逆方向に回転制御される。すなわち、モータ１１２で回転される斜歯ギヤ１１３、アイドル斜歯ギヤ１１４、１１５、さらにアイドル斜歯ギヤ１１５に連設したギヤ１１６が保持ディスク１０２の裏面側に形成した内歯ギヤ１１７にギヤ連結してモータ１１２の回動力が伝導されて、該保持ディスク１０２が正逆回転制御される。
【００８２】
前述の回収通路１０７のシャッタ１０８および返却通路１０９のシャッタ１１０は、連動して１つのソレノイド１１８により開閉制御される。該ソレノイド１１８と各シャッタ１０８，１１０は、各シャッタ１０８，１１０を連動して開閉制御するように適宜構成したリンク機構１１９により連結している。なお、ＩＣコイン２０が同時に回収通路１０７と返却通路１０９とに対向することはないので、各シャッタ１０８，１１０は１つのソレノイド１１８で開閉制御が可能となる。
【００８３】
また、前述の補給通路１０４のシャッタ１０６は適宜のソレノイドおよびリンク機構により開閉制御されるように設けている。
【００８４】
前述の保持ディスク１０２の１つの保持部１０１が投入口１０３に対向しているとき、これをホームポジシンに設定し、このホームポジションをホームポジションセンサ１２０で検知する。このセンサ１２０は透過型光電センサで形成し、保持ディスク１０２の背面側であって所定の円周上の一箇所に形成された検知片（図示省略）を検知することによりホームポジションの検知としている。
【００８５】
また、保持ディスク１０２の保持部１０１のホームポジションからの角９０度ごとの搬送（移動）を９０度位置センサ１２１で検知する。この９０度位置センサ１２１も透過型光電センサで形成して、前述のホームポジションセンサ１２０と併設し、保持ディスク１０２の背面側であってホームポジションの検知片とは異なる円周上であって角９０度ごとの４箇所の位置に形成した検知片（図示省略）を検知することによって、ホームポジションからの角９０度、角１８０度、角２７０度の位置を検出する。これらの位置は保持ディスク１０２の保持部１０１が投入口１０３、アンテナ３８、回収通路１０７、返却通路１０９と対応する位置である。
【００８６】
また、保持ディスク１０２の保持部１０１が投入口１０３に対応する位置、回収通路１０７に対応する位置、さらに、返却通路１０９に対応する位置の各位置は、各位置で保持部１０１にＩＣコイン２０が存在することを投入コインセンサ１２２、回収コインセンサ１２３、返却コインセンサ１２４で検知する。これらのセンサ１２２，１２３，１２４は透過型光電センサで形成し、保持ディスク１０２のセンサ対応位置には貫通口１２５…を形成して、前述の各位置でＩＣコイン２０がセンサを遮ることでＩＣコイン２０の存在検知としている。
【００８７】
上述のように構成される搬送プール部１００によるＩＣコイン２０の処理制御は、図１１で示した制御回路と等価な制御回路で実行される。
次ぎに、この例の搬送プール部１００のＩＣコイン２０の処理制御を図１９のフローチャートおよび図２０の動作説明図を参照して説明する。
【００８８】
保持ディスク１０２は空の保持部１０１を投入口１０３に対向させたホームポジションの位置にあってＩＣコイン２０の投入可能な状態にあり、他方の回収通路１０７の位置にある保持部１０１には１個のＩＣコイン２０をプールして待機している（図２０、Ａ参照）。
【００８９】
プレーヤによってＩＣコイン２０が投入口１０３に投入されて、該ＩＣコイン１０３が保持ディスク１０２の保留部１０１に収納されると、投入コインセンサ１２２がこれを検知し、この検知に基づいて保持ディスク１０２が内側に角９０度回転制御され、投入されたＩＣコイン２０はアンテナ３８と対向し、ＩＣコイン２０に記録された価値データを含むコインデータが読出され、有効なＩＣコイン２０であるか否かが判定される（ステップｎ２１〜ｎ２４）（図２０、Ｂ参照）。
【００９０】
無効なＩＣコイン２０であると判定された時は、保持ディスク１０２を外側に角１８０度回転制御して投入されたＩＣコイン２０を投入口１０３経由で返却通路１０９に回動させ、該返却通路１０９のシャッタ１１０を開放して、投入されたＩＣコイン２０をプレーヤに返却し、初期状態にリターンする（ステップｎ２５，ｎ２１）（図２０、Ｃ．Ｄ参照）。
なお、この返却処理時にＩＣコイン２０が投入口１０３から一瞬目視することができるので、プレーヤは返却処理を確認することができる。
【００９１】
前述のステップｎ２４で、有効なＩＣコイン２０であると判定されたときは、払出しボタン（図７の払出しボタン４３参照）が操作されるまで待機し、該ボタンの信号（払出し指令）で設定された１回分の遊技媒体の払出しを許容する信号を出力する（ステップｎ２６，ｎ２７）。
なお、ＩＣコイン２０が投入されることはプレーヤが遊技を行うことの意思表示であるので、払出しボタンの操作を待つことなく、ＩＣコイン２０の有効性を判定してから所定時間を計時して、そのタイムアップで１回分の遊技媒体の払出しを許容する信号を出力することもできる。
【００９２】
遊技媒体の払出しが許容されると、１回分の払出しに対応する価値をＩＣコイン２０に価値データから減算し記録を更新して、残価値があるか否かを判定し、残価値があるときは、ステップｎ２６にリターンして、次ぎの払出しボタンの操作まで待機する（ステップｎ２８，ｎ２９）。なお、ＩＣコイン２０に残価値がある状態で返却ボタン４５が操作されたときは、ステップｎ２５に移行して、ＩＣコイン２０は返却される。
【００９３】
また、プレーヤの遊技に伴い遊技媒体の払出しが繰返されてＩＣコイン２０の残価値が零（０円）になったことがステップｎ２９で判定されたときは、ステップｎ３０で該ＩＣコイン２０は回収して初期状態にリターンする（図２０、Ｅ．Ａ参照）。
【００９４】
すなわち、保持ディスク１０２を内側に角９０度回転制御してアンテナ３８の位置にあるＩＣコイン２０を回収通路１０７の位置に回動させ、さらに該通路１０７のシャッタ１０８を開放して、ＩＣコイン２０を回収し、続いて保持ディスク１０２を外側に角１８０度回転制御して、空の保持部１０１を投入口１０３に対向させてホームポジションに復帰して、ステップｎ２１にリターンする。
【００９５】
上述のＩＣコイン２０の処理はプレーヤがＩＣコイン２０を投入したときの処理を示したが、次ぎにプレーヤが現金を投入してＩＣコイン２０を発行処理してプレーする場合を、図２１のフローチャートと、図２２の動作説明図を参照して説明する。
【００９６】
保持ディスク１０２は空の保持部１０１を投入口１０３に対向させたホームポジションの位置にあってＩＣコイン２０の投入可能な状態にあり、他方の保持部１０１には１個のＩＣコイン２０をプールして待機している（図２２、Ａ参照、または図２０、Ａ参照）。
【００９７】
この状態で、プレーヤが紙幣を紙幣処理部（図１１の紙幣処理部３３を参照）に投入すると、真紙幣あることの判定に基づいて、保持ディスク１０２にＩＣコイン２０のプールがあるか否かを判定する（ステップｎ３１，３２）。
【００９８】
回収通路１０７と対向する位置で、ＩＣコイン２０のプールが回収コインセンサ１２３の出力で判定されると、この判定に基づいて保持ディスク１０２は外側に角９０度回転制御され、上述の回収通路１０７と対向する位置でプールされているＩＣコイン２０をアンテナ３８と対向する位置に回動させて、投入された金額に基づいて価値データを含むコインデータをＩＣコイン２０に記録処理する（ステップｎ３３，ｎ３４）（図２２、Ｂ参照）。
【００９９】
上述のデータの記録処理が終了すると、保持ディスク１０２は外側に角９０度回転制御され、ＩＣコイン２０は投入口１０３の位置に回動されて、該投入口１０３に臨ませて、フレーヤにＩＣコイン２０の正常な発行を示す（ステップｎ３５）（図２２、Ｃ参照）。
【０１００】
この状態で、プレーヤが払出しボタン（図７の払出しボタン４３参照）が操作されるまで待機し、該ボタンが操作されることに基づいて、前述した図１９のステップ２６に移行して、遊技媒体の発行を許容する。
【０１０１】
勿論、現金を投入することは、プレーヤが遊技を行うことの意思表示であるので、払出しボタンの操作を待つことなく、ＩＣコイン２０の記録処理が終了してから所定時間を計時して、そのタイムアップで遊技媒体の払出しを許容することもできる。
【０１０２】
前述のステップｎ３２で、保持ディスク１０２にＩＣコイン２０のプールがないと判定された時、すなわち、現金の投入が２回連続すると、１回目の現金投入時にプールされたＩＣコイン２０を使用するので、２回目の現金投入時にはＩＣコイン２０のプールがなくなる（図２２、Ｄ参照）。この場合、補給部１０５からＩＣコイン２０を保持ディスク１０２に補給する（ステップｎ３６）。
【０１０３】
そのために、保持ディスク１０２を内側に角９０度回動制御して保持部１０１を補給通路１０４に対向させ、次いで補給部１０５のシャッタ１０６を開放して１枚のＩＣコイン２０を保持部１０１に補給し、ステップｎ３４に移行して、以後ＩＣコイン２０の処理を実行する。
【０１０４】
上述の実施例では、図２０のＡ、およびステップｎ２１で説明するように、保持ディスク１０２には１枚のＩＣコイン２０をプールした状態で動作するようにしているが、他の制御方法としては、ＩＣコイン２０プールすることなく、プレーヤが投入したＩＣコイン２０の価値データが残価値なくなると、これを回収し、また、現金が投入されることにより補給部１０５からＩＣコイン２０を補給してＩＣコイン２０の発行処理を実行することもできる。
【０１０５】
この発明の構成と、上述の実施例との対応において、
この発明の遊技機用ＩＣコイン処理装置は、実施例の紙幣処理部３３とＩＣコイン２０の搬送プール部３５および１００とを備えた装置に対応し、
以下同様に、
ＩＣコインの記録手段は、実施例のＥＥＰＲＯＭ２５に対応し、
ＩＣコインの通信手段は、Ａ／Ｄ変換器２６、アンテナ２７に対応し、
コイン側制御手段は、ＣＰＵ２２に対応し、
識別手段は、紙幣処理部３３に対応し、
ＩＣコインのプール手段は、搬送プール部３５、第２のプール部７０、プール部９３に対応し、
本体側通信手段は、アンテナ３８を接続したＩＣコイン通信装置４０に対応し、
本体側制御手段は、制御部４２に対応し、
払出し指令手段は、払い出しボタン４３、タイマに対応するも、
この発明は、上述の実施例の構成のみに限定されるものではなく、多くの実施の形態を備える。
【図面の簡単な説明】
【図１】  遊技機システムを示す構成図。
【図２】  ＩＣコインの平面図。
【図３】  ＩＣコインの断面図。
【図４】  ＩＣモジュールの回路構成を示すブロック図。
【図５】  ＥＥＰＲＯＭに記録されるデータの説明図。
【図６】  台間機の正面図。
【図７】  台間機の内部の概略側面図。
【図８】  搬送プール部の側面図、
【図９】  搬送プール部の横断面図。
【図１０】  ゲート板部分の断面図。
【図１１】  台間機１２の制御回路ブロック図。
【図１２】  ＩＣコイン処理動作のフローチャート。
【図１３】  保持ディスクの初期状態を示す説明図。
【図１４】  保持ディスクのＩＣコイン放出状態を示す説明図。
【図１５】  保持ディスクの第２プール部へのプールを示す説明図。
【図１６】  他の例のＩＣコイン処理動作のフローチャート。
【図１７】  他の例の搬送プール部の概略側面図。
【図１８】  さらに他の例の搬送プール部の側面図。
【図１９】  他の例のＩＣコイン処理動作のフローチャート。
【図２０】  図２０の保持ディスクのＩＣコインの処理状態を示す説明図。
【図２１】  図１９に関連するＩＣコイン処理動作のフローチャート。
【図２２】  図２０に関連する保持ディスクのＩＣコインの処理状態を示す説明図。
【符号の説明】
１１…遊技機
１２…台間機
２０…ＩＣコイン
２２…ＣＰＵ
２５…ＥＥＰＲＯＭ
２６…Ａ／Ｄ変換器
２７…アンテナ
３２…紙幣挿入口
３３…紙幣処理部
３４…投入放出口
３５…搬送プール部
３７…保持ディスク
３８…アンテナ
３９…遊技動体払出し部
４１…ＩＣコイン通信装置
４２…制御部
４３…払出しボタン
４５…ＩＣコイン返却ボタン
７０…第２のプール部
１００…搬送プール部
１０１…保持部
１０２…保持ディスク
【図１】
0004608778.tif 000002
【図２】
0004608778.tif 000003
【図３】
0004608778.tif 000004
【図４】
0004608778.tif 000005
【図５】
0004608778.tif 000006
【図６】
0004608778.tif 000007
【図７】
0004608778.tif 000008
【図８】
0004608778.tif 000009
【図９】
0004608778.tif 000010
【図１０】
0004608778.tif 000011
【図１１】
0004608778.tif 000012
【図１２】
0004608778.tif 000013
【図１３】
0004608778.tif 000014
【図１４】
0004608778.tif 000015
【図１５】
0004608778.tif 000016
【図１６】
0004608778.tif 000017
【図１７】
0004608778.tif 000018
【図１８】
0004608778.tif 000019
【図１９】
0004608778.tif 000020
【図２０】
0004608778.tif 000021
【図２１】
0004608778.tif 000022
【図２２】
0004608778.tif 000023